(57)【要約】【課題】多数の求人に関する情報を掲載した冊子に関し、安価に製作して簡便に頒布することができ、求人情報誌を手にしていることを他人に見られることなく持ち帰ってゆっくりと読むことができる求人情報誌を得る。【解決手段】求人情報を掲載した小型紙の複数枚を背綴じしてなる、ポケットサイズの求人情報誌である。求人情報は、内容及び表記法を統一した多数の情報掲載欄７と、内容及び表記法を個別にして枠取りされた少数の情報掲載欄９とを備えている。背広の内ポケットやワイシャツの胸ポケットや小型のハンドバッグに入れることができる。小型であるため、展示、頒布場所への搬送や配布も簡便にでき、製造コストも安くできる。【選択図】      図２
0003106155.tif 000002
【実用新案登録請求の範囲】
【請求項１】
求人情報を掲載した小型紙の複数枚を背綴じしてなる、ポケットサイズの求人情報誌。
【請求項２】
内容及び表記法を統一した多数の情報掲載欄(7)と、内容及び表記法を個別にして枠取りされた少数の情報掲載欄(9)とを備えている、請求項１記載の求人情報誌。
【請求項３】
求人情報が地域別に区分けして掲載されている、請求項１又は２記載の求人情報誌。
【考案の詳細な説明】
【技術分野】
【０００１】
この考案は、多数の求人に関する情報を掲載した冊子に関するものである。
【背景技術】
【０００２】
求人情報誌は、各種の事業所や病院などの求人情報をまとめて冊子にしたもので、広告主から受け取る掲載料によって製作され、コンビニエンスストアのパンフレットケースなどに展示して無料で配布されている。従来の求人情報誌は、Ａ４やＢ５サイズのもので、背広の内ポケットやワイシャツの胸ポケットや小型のハンドバッグには入らない大きさである。
【０００３】
Ａ４やＢ５サイズの求人情報誌は、一般的な雑誌や書籍等と同じ大きさであり、製版や印刷、製本などに便利であり、多くの情報を掲載できるが、持ち運びに不便である。一方、持ち運びの便を考慮した情報誌として、印刷ページを抜き差し可能にした加除式の情報誌が特許文献１で提案されている。
【特許文献１】登録実用新案第３０５５０４８号公報
【考案の開示】
【考案が解決しようとする課題】
【０００４】
一般に求人情報誌には、広範な業務内容に亘る多数の事業所等の求人広告が掲載される。求人情報誌を読む人は、多数の求人情報の中から仕事に対する自分の好み、待遇や給与、通勤の便など種々の要素を比較勘案して最適な職を探そうとする。そのため、求人情報誌を読むには時間がかかり、立ち読みで済ますことはできないので、読者が持ち帰って読んでくれなければ、求人情報誌としての価値が損なわれてしまう。
【０００５】
ところが従来の大型の求人情報誌は、背広の内ポケットやシャツの胸ポケットや小型のハンドバッグには入らないので、鞄を持っていないときは、むき出しの状態で持ち帰らなければならない。しかし、求人情報誌を所持していることを他人に見られることを好まない人が多く、そのため、従来の求人情報誌は、持ち帰り可能な状態で展示しても、持ち帰って読む人が少ないという問題があった。
【０００６】
これに対して上記特許文献１に記載された情報誌は、ポケットサイズの情報誌であるが、求人情報は自分に必要な情報を常に持ち歩いたり、新しい情報と更新したりする種類の情報ではなく、好ましい情報があれば、面接に出向いたり、求人に応じたりするであろうから、印刷ページを差し替え可能にすることには殆ど意味がなく、製作費が高価になって不経済である。
【０００７】
そこでこの考案は、安価に製作して簡便に頒布することができ、従って短い周期で最新の情報を提供することが可能で、書類鞄などを所持していなくても求人情報誌を手にしていることを他人に見られることなく持ち帰ってゆっくりと読むことができる求人情報誌を得ることを課題としている。
【課題を解決するための手段】
【０００８】
本願の請求項１に係る考案は、求人情報を掲載した小型紙の複数枚を背綴じしてなる、ポケットサイズの求人情報誌を提供することにより、上記課題を解決したものである。
【０００９】
本願請求項２の考案は、上記構成を有する求人情報誌において、内容及び表記法を統一した多数の情報掲載欄７と、内容及び表記法を個別にして枠取りされた少数の情報掲載欄９とを備えていることを特徴とするものである。
【００１０】
また本願請求項３の考案は、上記の本願請求項１又は２記載の求人情報誌において、求人情報が地域別に区分けして掲載されていることを特徴とするものである。
【考案の効果】
【００１１】
この考案の求人情報誌は、背広の内ポケットやワイシャツの胸ポケットや小型のハンドバッグに入れることができ、従って他人に求人情報誌を所持していることを知られないで持ち帰って読むことができる。そして、求人情報を記載した複数枚の用紙が背綴じされているので、用紙枚数の増減によって情報量（求人数）の多寡に対応することができ、小型であるため、展示、頒布場所への搬送や配布も簡便にでき、パンフレットケース等への収納場所も小さくて済む。また、背綴じの方法として冊子の背に切込みを入れて接着剤で綴じる形式の無線綴を採用すれば、製造コストも安くできる。
【００１２】
また、個々の求人情報の内容や表記法を統一すれば、小さい印刷スペースに多くの情報を記載することができるという特徴があり、そのような内容や表記法が統一された情報群の中に枠線で囲った個別的な印刷形式の求人情報が散在していると、紙面のデザインに変化を与えると共に、安価に情報を掲載したいという求人主の要請にも目立つように掲載したいという要請にも応ずることができるという効果がある。
【考案を実施するための最良の形態】
【００１３】
以下、図面を参照して、この考案の実施形態を説明する。図１は実施例の求人情報誌の表紙、図２は見開きページのデザインの一例を示した図である。
【００１４】
図示実施例の求人情報誌１は、ワイシャツの胸ポケットに差し込むことができる大きさで、例えば、縦寸法１４．７ｃｍ、横寸法９ｃｍの大きさである。表紙には情報誌の名前２と発行年月日３が印刷表示されている。
【００１５】
図２に例示した情報の印刷ページは、縦３段組横書きとなっており、市区町村名の表示４の後に、例えば黒四角記号５などの単位情報の先頭を示す記号に続けて、求人内容６を統一された順番、かつ表記法で印刷表示されている。表記内容と表記法は、例えば仕事の種類、男女の適正、必要な資格、年齢範囲、給与の額、勤務時間、休業日、会社名、所在地、電話番号、担当者名などを、例えば、
■電子部品製造（女性活躍中）＊資格不要＊１８〜５０歳＊給与２０１，０００円〜２１５，０００円＊８：３０〜１７：００＊土日祝年末年始夏季＊○○株式会社〒０００−００００△△市△△町○番○号Tel００−００００−００００××
のように、順番と表記法を統一して表示する。
【００１６】
そして、上記のような画一的な表示欄７の間に広告主の要求に応じて枠線８で囲んだ領域に独自のデザインで個々の広告主が希望する会社や業務の内容を印刷表示した領域９を適宜散在させ、業種を連想させるカット１０などを適宜入れて誌面を構成する。
【００１７】
以上の説明より理解されるように、この考案の求人情報誌は、ポケットやハンドバッグに入れて持ち帰って読むことができ、活字を小さくして表記法を統一すれば、サイズが小さくても多くの情報を印刷することができ、製造や配布も簡便であり、従って最新の情報を短い周期で提供することも比較的容易に可能であるから、求人情報を情報の発信側と受側との両者にとって最も好ましい態様で提供できるという特徴がある。
【図面の簡単な説明】
【００１８】
【図１】求人情報誌の一例を示す斜視図
【図２】見開きページの例を示した図
【符号の説明】
【００１９】
７  表示欄
９  領域
【図１】
0003106155.tif 000003
【図２】
0003106155.tif 000004